(57)【要約】【課題】管理すべきデータ量を最小限に抑えつつ、ＣＳＩデータの構成変更に対し早急な対応を可能としＣＳＩデータを効率的に管理する。【解決手段】交換機１２との間で通信するために必要なＣＳＩデータを生成し管理するサービス制御装置１３において、顧客データ投入システム１１から顧客データを受信した際、該顧客データのみを一時記憶媒体２３と記憶媒体２４の両方に登録（記憶）しておき、その後、通信処理が発生するごとに、予め記憶している顧客データに基づいてＣＳＩデータを生成する構成とした。【選択図】図２
2007184686.tif 000002
【特許請求の範囲】
【請求項１】
サービス制御装置と交換機との間で通信するために必要なＣＳＩデータを前記サービス制御装置が生成し管理するＣＳＩデータの生成・管理方法において、
通信処理が発生するごとに、前記サービス制御装置内に予め記憶している顧客データに基づいてＣＳＩデータを生成することを特徴とするＣＳＩデータの生成・管理方法。
【請求項２】
交換機との間で通信するために必要なＣＳＩデータを生成し管理するサービス制御装置であって、
顧客データおよびＣＳＩデータを記憶するための記憶手段と、
外部から顧客データを受信する受信手段と、
前記受信手段により受信された顧客データを前記記憶手段に記憶させる顧客データ処理手段と、
前記顧客データに基づいてＣＳＩデータを生成するＣＳＩデータ生成手段と、
通信処理が発生するごとに、前記記憶手段に記憶された顧客データを取り出し、前記ＣＳＩデータ生成手段によって前記顧客データに基づいてＣＳＩデータを生成させる制御手段と、
を備えたサービス制御装置。
【発明の詳細な説明】
【技術分野】
【０００１】
本発明は、通信処理装置においてCAMEL Subscription Informationデータ（本明細書では「ＣＳＩデータ」という）を生成・管理するための方法およびサービス制御装置に関するものである。
【背景技術】
【０００２】
従来より、ネットワーク上で、さまざまな種類のデータを管理する技術が提案されており、例えば、特許文献１にはネットワーク構成データを管理する技術が提案されている。特に、モバイル・ネットワークでは、ＣＡＭＥＬ（Customized Applications for Mobile network Enhanced Logic：モバイル・ネットワーク用カスタマイズ・アプリケーション改善論理）に関するＣＳＩデータを用いたサービスが展開されており、かかるＣＳＩデータを効率良く生成・管理する方法が待望されていた。
【０００３】
ここで、従来のＣＳＩデータの生成・管理方法について説明する。図１には、従来のＣＳＩデータ生成・管理方法を実行するシステム構成を示す。このシステムは、顧客データ投入システム１１、交換機１２、およびＣＳＩデータの生成・管理を行うサービス制御装置１３を含んで構成される。
【０００４】
このうちサービス制御装置１３は、受信機２１、顧客データ処理機能部２２、ＣＳＩデータ生成機能部２６、一時記憶媒体２３、記憶媒体２４、および通信処理機能部２５を備えている。顧客データ投入システム１１は、信号線３１を介して受信機２１に接続され、受信機２１は、信号線３２を介して顧客データ処理機能部２２に接続される。顧客データ処理機能部２２は、信号線３３、３４を介してＣＳＩデータ生成機能部２６に接続されるとともに、信号線３５を介して一時記憶媒体２３に接続される。一時記憶媒体２３は、信号線３６を介して記憶媒体２４に接続される。交換機１２は、信号線３７、４０を介して通信処理機能部２５に接続され、通信処理機能部２５は、信号線３８、３９を介して一時記憶媒体２３に接続される。
【０００５】
通信ネットワーク上に顧客データの新規追加や変更などの更新の必要が生じた場合、顧客データ投入システム１１は、通信ネットワーク上のサービス制御装置１３に顧客データを登録するため、信号線３１を通して顧客データをサービス制御装置１３へ送信する。本明細書での「顧客データ」とは、顧客に関するサービス契約情報のデータを意味する。
【０００６】
サービス制御装置１３は、通信ネットワーク上でサービス制御を行うために顧客データからＣＳＩデータを生成する。ＣＳＩ（CAMEL Subscription Information）とは、ＣＡＭＥＬサービス制御を実施するのに使用するためのデータであり、各顧客に対してのサービス制御情報のデータである。サービス制御装置１３は、顧客データを受信機２１により受信し、信号線３２を通して該顧客データを顧客データ処理機能部２２へ送信する。顧客データ処理機能部２２は、信号線３３を通して該顧客データをＣＳＩデータ生成機能部２６へ送信する。ＣＳＩデータ生成機能部２６は、受信した顧客データからＣＳＩデータを生成し、信号線３４を通して該ＣＳＩデータを顧客データ処理機能部２２へ送信する。顧客データ処理機能部２２は、信号線３５を通して顧客データとＣＳＩデータとを一時記憶媒体２３へ送信し登録する。また同様に、顧客データ処理機能部２２は、一時記憶媒体２３から信号線３６を通して記憶媒体２４に、顧客データとＣＳＩデータとを登録する。ここで、記憶媒体２４に顧客データとＣＳＩデータとを登録するのは、図１のシステムがシステムダウンを起こした場合、一時記憶媒体２３内の顧客データおよびＣＳＩデータが消失するため、顧客データおよびＣＳＩデータのバックアップ用として記憶媒体２４内の顧客データおよびＣＳＩデータを使用するためである。
【０００７】
通信ネットワーク上で通信処理が発生した時、交換機１２は、サービス制御装置１３に対し顧客データとＣＳＩデータを要求する。サービス制御装置１３は、交換機１２から信号線３７を通して顧客データとＣＳＩデータの要求を通信処理機能部２５により受信し、通信処理機能部２５は、信号線３８を通して一時記憶媒体２３に接続し、信号線３９を通して一時記憶媒体２３から顧客データとＣＳＩデータとを取得する。通信処理機能部２５は、信号線４０を通して顧客データとＣＳＩデータとを交換機１２へ送信することで、顧客データとＣＳＩデータの要求に応じた応答を行う。
【特許文献１】特開２００１−３１３６３９号公報
【発明の開示】
【発明が解決しようとする課題】
【０００８】
従来のＣＳＩデータの生成・管理方法では、通信処理の有無にかかわらず、顧客データからＣＳＩデータを生成し、顧客データと、生成したＣＳＩデータの双方を一時記憶媒体および記憶媒体に記憶し管理していたため、多量のデータを管理する必要があった。また、ＣＳＩデータの構成において追加や変更があった際には、記憶媒体に管理している全てのＣＳＩデータに対し変更を加える必要が生じるため、変更処理に時間を要し、早急な対応は現実的に困難であった。
【０００９】
本発明は、上記課題を解決するために成されたものであり、管理すべきデータ量を最小限に抑えつつ、ＣＳＩデータの構成変更に対し早急な対応を可能としＣＳＩデータを効率的に管理することができるＣＳＩデータの生成・管理方法およびサービス制御装置を提供することを目的とする。
【課題を解決するための手段】
【００１０】
上記目的を達成するために、本発明に係るＣＳＩデータの生成・管理方法は、サービス制御装置と交換機との間で通信するために必要なＣＳＩデータを前記サービス制御装置が生成し管理するＣＳＩデータの生成・管理方法において、通信処理が発生するごとに、前記サービス制御装置内に予め記憶している顧客データに基づいてＣＳＩデータを生成することを特徴とする。
【００１１】
また、本発明に係るサービス制御装置は、交換機との間で通信するために必要なＣＳＩデータを生成し管理するサービス制御装置であって、顧客データおよびＣＳＩデータを記憶するための記憶手段と、外部から顧客データを受信する受信手段と、前記受信手段により受信された顧客データを前記記憶手段に記憶させる顧客データ処理手段と、前記顧客データに基づいてＣＳＩデータを生成するＣＳＩデータ生成手段と、通信処理が発生するごとに、前記記憶手段に記憶された顧客データを取り出し、前記ＣＳＩデータ生成手段によって前記顧客データに基づいてＣＳＩデータを生成させる制御手段とを備えたことを特徴とする。このサービス制御装置では、受信手段が外部から顧客データを受信すると、顧客データ処理手段は、受信された顧客データを記憶手段に記憶させる。そして、通信処理が発生するごとに、制御手段は、記憶手段に記憶された顧客データを取り出し、ＣＳＩデータ生成手段によって顧客データに基づいてＣＳＩデータを生成させる。
【００１２】
以上のような本発明に係るＣＳＩデータの生成・管理方法およびサービス制御装置によれば、外部から顧客データを受信した際、該顧客データのみを記憶手段に記憶しておき、その後、通信処理が発生するごとに、予め記憶している顧客データに基づいてＣＳＩデータを生成する。このため、管理すべきデータ量を最小限に抑えることが可能になるとともに、ＣＳＩデータの構成変更に対してＣＳＩデータ生成機能を変更するだけで済み、全てのＣＳＩデータに対し変更を加える必要が無くなるため、プラグイン等の早急な対応を可能としＣＳＩデータを効率的に管理することが可能となる。
【発明の効果】
【００１３】
本発明によれば、管理すべきデータ量を最小限に抑えつつ、ＣＳＩデータの構成変更に対し早急な対応を可能としＣＳＩデータを効率的に管理することができる。
【発明を実施するための最良の形態】
【００１４】
［システム構成について］
図２には、本発明のＣＳＩデータ生成・管理方法を実行するシステム構成を示す。このシステムは、顧客データ投入システム１１、交換機１２、およびＣＳＩデータの生成・管理を行うサービス制御装置１３を含んで構成される。
【００１５】
このうちサービス制御装置１３は、受信機２１、顧客データ処理機能部２２、ＣＳＩデータ生成機能部２６、一時記憶媒体２３、記憶媒体２４、および通信処理機能部２５を備えている。顧客データ投入システム１１は、信号線３１を介して受信機２１に接続され、受信機２１は、信号線３２を介して顧客データ処理機能部２２に接続される。顧客データ処理機能部２２は、信号線３５を介して一時記憶媒体２３に接続される。一時記憶媒体２３は、信号線３６を介して記憶媒体２４に接続される。通信処理機能部２５は、信号線３３、３４を介してＣＳＩデータ生成機能部２６に接続され、信号線３８、３９を介して一時記憶媒体２３に接続される。交換機１２は、信号線３７、４０を介して通信処理機能部２５に接続される。
【００１６】
上記のうち、一時記憶媒体２３および記憶媒体２４は本発明に係る記憶手段に、受信機２１は本発明に係る受信手段に、顧客データ処理機能部２２は本発明に係る顧客データ処理手段に、ＣＳＩデータ生成機能部２６は本発明に係るＣＳＩデータ生成手段に、通信処理機能部２５は本発明に係る制御手段に、それぞれ対応する。
【００１７】
［システムの動作について］
通信ネットワーク上に顧客データの新規追加や変更などの更新の必要が生じた場合、顧客データ投入システム１１は、通信ネットワーク上のサービス制御装置１３に顧客データを登録するため、信号線３１を通して顧客データをサービス制御装置１３へ送信する。
【００１８】
サービス制御装置１３は、顧客データを受信機２１により受信し、信号線３２を通して該顧客データを顧客データ処理機能部２２へ送信する。顧客データ処理機能部２２は、信号線３５を通して顧客データを一時記憶媒体２３へ送信し登録する。また同様に、顧客データ処理機能部２２は、一時記憶媒体２３から信号線３６を通して記憶媒体２４に顧客データを登録する。このように、顧客データを受信した時点では、サービス制御装置１３は、顧客データの登録のみを行い、顧客データに基づくＣＳＩデータの生成は行わない。
【００１９】
その後、通信ネットワーク上で通信処理が発生するごとに、交換機１２は、サービス制御装置１３に対し顧客データおよびＣＳＩデータを要求する。サービス制御装置１３は、交換機１２から信号線３７を通して顧客データおよびＣＳＩデータの要求を通信処理機能部２５により受信し、通信処理機能部２５は、信号線３８を通して一時記憶媒体２３に接続し、信号線３９を通して一時記憶媒体２３から顧客データを取得する。そして、通信処理機能部２５は、信号線３３を通して顧客データをＣＳＩデータ生成機能部２６へ送信する。ＣＳＩデータ生成機能部２６は、顧客データからＣＳＩデータを生成し、信号線３４を通して該ＣＳＩデータを通信処理機能部２５へ送信する。さらに、通信処理機能部２５は、一時記憶媒体２３から取得した顧客データと、ＣＳＩデータ生成機能部２６から取得したＣＳＩデータとを、信号線４０経由で交換機１２へ送信することで、顧客データとＣＳＩデータの要求に応じた応答を行う。
【００２０】
以上説明したように、顧客データ投入システム１１から顧客データを受信した際、該顧客データのみを一時記憶媒体２３と記憶媒体２４の両方に登録（記憶）しておき、その後、通信処理が発生するごとに、予め記憶している顧客データに基づいてＣＳＩデータを生成する。このため、管理すべきデータ量を最小限に抑えることが可能になるとともに、ＣＳＩデータの構成変更に対してＣＳＩデータ生成機能を変更するだけで済み、全てのＣＳＩデータに対し変更を加える必要が無くなるため、プラグイン等の早急な対応を可能としＣＳＩデータを効率的に管理することが可能となる。
【図面の簡単な説明】
【００２１】
【図１】従来のＣＳＩデータ生成・管理方法を実行するシステム構成を示すブロック図である。
【図２】本発明のＣＳＩデータ生成・管理方法を実行するシステム構成を示すブロック図である。
【符号の説明】
【００２２】
１１…顧客データ投入システム、１２…交換機、１３…サービス制御装置、２１…受信機、２２…顧客データ処理機能部、２３…一時記憶媒体、２４…記憶媒体、２５…通信処理機能部、２６…ＣＳＩデータ生成機能部、３１〜４０…信号線。
【図１】
2007184686.tif 000003
【図２】
2007184686.tif 000004